(57)【特許請求の範囲】
【請求項１】
非メモリ誤り訂正チャネルコーディングされた信号の反復伝送装置において、
伝送するデータを非メモリ誤り訂正チャネルコーディング信号にチャネル符号化するチャネル符号化部と、
同じシンボル間の距離を一定に維持し、伝送単位内でシンボル間の間隔が最大となるように前記チャネル符号化部から出力されるチャネル符号化された信号のシンボルを反復させるシンボル反復部と、
前記シンボル反復部からシンボルを入力されると、他の伝送データとデマルチプレックシング及び変調して伝送するシンボル伝送部と
を含んでなり、前記シンボル反復部は、
前記チャネル符号化部によりチャネル符号化された信号のシンボルを貯蔵するメモリ部と、
前記チャネル符号化部から出力される前記チャネル符号化された信号のシンボルを受信し、前記メモリ部に対して所定の第１の速度でスイッチングして、前記メモリ部に記録する記録スイッチ部と、
前記メモリ部に対して所定の第２の速度でスイッチングして、前記メモリ部に記録貯蔵された前記チャネル符号化された信号のシンボルに対して同じシンボル間の距離を一定に維持し、伝送単位内でシンボル間の間隔が最大となるように所定の反復回数だけ読み取り、シンボル伝送部に出力する読取スイッチ部と、
前記メモリ部、記録スイッチ部及び読取スイッチ部を制御するシンボル反復制御部と
を含んでなることを特徴とする非メモリ誤り訂正チャネルコーディングされた信号の反復伝送装置。
【請求項２】
非メモリ誤り訂正チャネルコーディングされた信号の反復伝送装置において、
伝送するデータを非メモリ誤り訂正チャネルコーディング信号にチャネル符号化するチャネル符号化部と、
同じシンボル間の距離を一定に維持し、伝送単位内でシンボル間の間隔が最大となるように前記チャネル符号化部から出力されるチャネル符号化された信号のシンボルを反復させるシンボル反復部と、
前記シンボル反復部からシンボルを入力されると、他の伝送データとデマルチプレックシング及び変調して伝送するシンボル伝送部と
を含んでなり、前記シンボル反復部は、
前記チャネル符号化部によりチャネル符号化された信号のシンボルを貯蔵し、貯蔵された前記シンボルをシンボル伝送部に出力するメモリ部と、
前記チャネル符号化部によりチャネル符号化された信号のシンボルを前記メモリ部に記録するために所定の第１の速度で記録アドレスを発生させる記録アドレス発生部と、
前記メモリ部に記録された前記チャネル符号化された信号のシンボルに対して同じシンボル間の距離を一定に維持し、伝送単位内でシンボル間の間隔が最大となるように所定の反復回数だけ読み取るために所定の第２の速度で読取アドレスを発生させる読取アドレス発生部と、
前記記録アドレス及び読取アドレスのいずれか一つのアドレスを選択して前記チャネル符号化部によりチャネル符号化された信号を前記メモリ部の前記記録アドレスに記録させるか、前記メモリ部の読取アドレスに記録貯蔵されたチャネル符号化された信号を読み取ってシンボル伝送部に出力させるアドレス選択部と、
前記メモリ部、記録アドレス発生部、読取アドレス発生部及びアドレス選択部を制御するシンボル反復制御部と
を含んでなることを特徴とする非メモリ誤り訂正チャネルコーディングされた信号の反復伝送装置。
【請求項３】
伝送するデータを非メモリ誤り訂正チャネルコーディング信号にチャネル符号化するチャネル符号化部と、
同じシンボル間の距離を一定に維持し、伝送単位内でシンボル間の間隔が最大となるように前記チャネル符号化部から出力されるチャネル符号化された信号のシンボルを反復させるシンボル反復部と、
前記シンボル反復部からシンボルを入力されると、他の伝送データとデマルチプレックシング及び変調して伝送するシンボル伝送部と
を含んでなる非メモリ誤り訂正チャネルコーディングされた信号の反復伝送装置からシンボルが反復伝送される非メモリ誤り訂正チャネルコーディングされた信号の受信装置において、
前記シンボル伝送部から伝送される信号を受信して復調し、前記信号をデマルチプレックシングして非メモリ誤り訂正チャネルコーディングされた信号にチャネル符号化され反復されたシンボルのみを出力するシンボル受信部と、
前記チャネル符号化され反復されたシンボルを結合して前記反復伝送装置において反復される前のチャネル符号化された信号に復旧するシンボル復旧部と、
前記シンボル復旧部から出力されるチャネル符号化された信号に対してチャネル復号化するチャネル復号化部と
を含んでなることを特徴とする非メモリ誤り訂正チャネルコーディングされた信号の受信装置。
【請求項４】
前記シンボル復旧部は、
前記シンボル受信部から出力されるチャネル符号化され反復されたシンボルを貯蔵し、貯蔵されたシンボルをチャネル複号化部に出力するメモリ部と、
前記シンボル受信部から出力される前記シンボルのうちｎ（ｎは２より大きい自然数）回目に反復された任意のシンボルと前記メモリ部に既に記録貯蔵されたｎ−１回目に反復されたシンボルであって、前記ｎ回目に反復されたシンボルに対応するシンボルを結合して、前記メモリ部に貯蔵する結合部と、
前記反復伝送装置におけるシンボル入力速度に前記反復回数をかけた値の速度で前記メモリ部の１番目の位置から順次スイッチングして、前記結合部とメモリ部とを結合させることによって、前記メモリ部に既に記録貯蔵されたシンボルを前記結合部に読み取らせ、前記結合部から出力されるシンボルを前記メモリ部に記録するスイッチ部と、
前記メモリ部、結合部、及びスイッチ部を制御するシンボル復旧制御部と
を含んでなることを特徴とする請求項３に記載の非メモリ誤り訂正チャネルコーディングされた信号の受信装置。
【請求項５】
前記シンボル復旧部は、
前記シンボル受信部から出力されるチャネル符号化され反復されたシンボルを貯蔵し、貯蔵されたシンボルをチャネル複号化部に出力するメモリ部と、
前記シンボル受信部から出力される前記シンボルのうち、ｎ（ｎは２より大きい自然数）回目に反復された任意のシンボルと前記メモリ部に既に記録貯蔵されたｎ−１回目に反復されたシンボルであって、前記ｎ回目に反復されたシンボルに対応するシンボルを結合して、前記メモリ部に貯蔵する結合部と、
前記反復伝送装置におけるシンボル入力速度に前記反復回数をかけた値の速度で前記メモリ部の１番目のアドレスから順次記録するように記録アドレスを発生させ、前記結合部とメモリ部とを連結させることによって、前記メモリ部に既に記録貯蔵されたシンボルを前記結合部に読み取らせ、前記結合部から出力されるシンボルを前記メモリ部に記録させるアドレス発生部と、
前記メモリ部、結合部及びアドレス発生部を制御するシンボル復旧制御部とを含んでなることを特徴とする請求項３に記載の非メモリ誤り訂正チャネルコーディングされた信号の受信装置。
【請求項６】
非メモリ誤り訂正チャネルコーディングされた信号の反復伝送方法において、
伝送するデータを非メモリ誤り訂正チャネルコーディングされた信号にチャネル符号化するチャネル符号化ステップと、
同じシンボル間の距離を一定に維持し、伝送単位内でシンボル間の間隔が最大となるように前記チャネル符号化ステップによりチャネル符号化された信号のシンボルを反復させるシンボル反復ステップと、
前記シンボル反復ステップにより反復されたシンボルを他の伝送データとマルチプレックシング及び変調して伝送するシンボル伝送ステップと
を含んでなり、前記シンボル反復ステップは、
前記チャネル符号化ステップによりチャネル符号化された信号のシンボルを所定の第１の速度でスイッチングしてメモリに記録する記録スイッチステップと、
前記メモリに対して所定の第２の速度でスイッチングして前記記録されたシンボルに対して同じシンボル間の距離を一定に維持し、伝送単位内でシンボル間の間隔が最大となるように所定の反復回数だけ読み取る読取スイッチステップと
を含んでなることを特徴とする非メモリ誤り訂正チャネルコーディングされた信号の反復伝送方法。
【請求項７】
非メモリ誤り訂正チャネルコーディングされた信号の反復伝送方法において、
伝送するデータを非メモリ誤り訂正チャネルコーディングされた信号にチャネル符号化するチャネル符号化ステップと、
同じシンボル間の距離を一定に維持し、伝送単位内でシンボル間の間隔が最大となるように前記チャネル符号化ステップによりチャネル符号化された信号のシンボルを反復させるシンボル反復ステップと、
前記シンボル反復ステップにより反復されたシンボルを他の伝送データとマルチプレックシング及び変調して伝送するシンボル伝送ステップと
を含んでなり、前記シンボル反復ステップは、
前記チャネル符号化ステップによりチャネル符号化された信号のシンボルを記録するために所定の第１の速度で記録アドレスを発生させる記録アドレス発生ステップと、
前記記録されたシンボルに対して同じシンボル間の距離を一定に維持し、伝送単位内でシンボル間の間隔が最大となるように所定の反復回数だけ読み取るために所定の第２の速度で読取アドレスを発生させる読取アドレス発生ステップと、
前記記録アドレス及び読取アドレスのいずれか一つのアドレスを選択して前記チャネル符号化ステップによりチャネル符号化された信号をメモリの前記記録アドレスに記録させるか、前記メモリの読取アドレスに記録されたチャネル符号化された信号を読み取らせるアドレス選択ステップと
を含んでなることを特徴とする非メモリ誤り訂正チャネルコーディングされた信号の反復伝送方法。
【請求項８】
伝送するデータを非メモリ誤り訂正チャネルコーディングされた信号にチャネル符号化するチャネル符号化ステップと、
同じシンボル間の距離を一定に維持し、伝送単位内でシンボル間の間隔が最大となるように前記チャネル符号化ステップによりチャネル符号化された信号のシンボルを反復させるシンボル反復ステップと、
前記シンボル反復ステップにより反復されたシンボルを他の伝送データとマルチプレックシング及び変調して伝送するシンボル伝送ステップと
を含んでなる非メモリ誤り訂正チャネルコーディングされた信号の反復伝送方法によりシンボルが反復伝送される非メモリ誤り訂正チャネルコーディングされた信号の受信方法において、
前記シンボル伝送ステップにより伝送される信号を受信して復調し、前記信号をデマルチプレックシングして非メモリ誤り訂正チャネルコーディング信号にチャンネル符号化され反復されたシンボルのみを出力するシンボル受信ステップと、
前記チャネル符号化され反復されたシンボルを結合して、前記反復伝送方法で反復される前のチャネル符号化された信号に復旧するシンボル復旧ステップと、
前記シンボル復旧ステップにより復旧されたチャネル符号化された信号に対してチャネル復号化するチャネル復号化ステップと
を含んでなることを特徴とする非メモリ誤り訂正チャネルコーディングされた信号の受信方法。
【請求項９】
前記シンボル復旧ステップは、
前記シンボル受信ステップによりチャネル符号化され反復されたシンボルのうちｎ（ｎは２より大きい自然数）回目に反復された任意のシンボルと既にメモリに記録されたｎ−１回目に反復されたシンボルであって、前記ｎ回目に反復されたシンボルに対応するシンボルを結合する結合ステップと、
前記反復伝送方法におけるシンボル入力速度に前記反復回数をかけた値の速度で前記メモリの１番目の位置から順次スイッチングして、前記結合ステップのために前記メモリに既に記録されたシンボルを読み取らせ、前記結合ステップにより結合されたシンボルを前記メモリに記録するスイッチステップと
を含んでなることを特徴とする請求項８に記載の非メモリ誤り訂正チャネルコーディングされた信号の受信方法。
【請求項１０】
前記シンボル復旧ステップは、
前記シンボル受信ステップによりチャネル符号化され反復されたシンボルのうちｎ（ｎは２より大きい自然数）回目に反復された任意のシンボルと既にメモリに記録されたｎ−１回目に反復されたシンボルであって、前記ｎ回目に反復されたシンボルに対応するシンボルを結合する結合ステップと、
前記反復伝送方法におけるシンボル入力速度に前記反復回数をかけた値の速度で前記メモリの１番目のアドレスから順次記録するように記録アドレスを発生させて、前記結合ステップのために前記メモリに既に記録されたシンボルを読み取らせ、前記結合ステップにより結合されたシンボルを前記メモリに記録させるアドレス発生ステップと
を含んでなることを特徴とする請求項８に記載の非メモリ誤り訂正チャネルコーディングされた信号の受信方法。
【請求項１１】
前記所定の第２の速度は、
前記チャネル符号化部によりチャネル符号化された信号のシンボルが前記スイッチ部に入力されるシンボル入力速度に前記反復回数をかけた値であることを特徴とする請求項１に記載の非メモリ誤り訂正チャネルコーディングされた信号の反復伝送装置。
【請求項１２】
前記所定の第１の速度は、
前記第２の速度と同じであることを特徴とする請求項１１に記載の非メモリ誤り訂正チャネルコーディングされた信号の反復伝送装置。
【請求項１３】
前記記録スイッチ部は、
前記反復回数がＲである場合、前記チャネル符号化された信号のＮ番目のシンボルを前記メモリ部のＮ、Ｎ＋Ｍ＊１、・・・、Ｎ＋Ｍ＊（Ｒ−１）番目の位置の順序で順次記録するようにスイッチングし、
前記読取スイッチ部は、
前記メモリ部の１番目の位置から順次スイッチングすることを特徴とする請求項１２に記載の非メモリ誤り訂正チャネルコーディングされた信号の反復伝送装置。
【請求項１４】
前記所定の第１の速度は、
前記シンボル入力速度であることを特徴とする請求項１１に記載の非メモリ誤り訂正チャネルコーディングされた信号の反復伝送装置。
【請求項１５】
前記記録スイッチ部は、
前記チャネル符号化された信号のシンボルを前記メモリ部の１番目の位置から順次記録するようにスイッチングし、
前記読取スイッチ部は、
前記メモリ部の１番目の位置から順次スイッチングすることを特徴とする請求項１４に記載の非メモリ誤り訂正チャネルコーディングされた信号の反復伝送装置。
【請求項１６】
前記所定の第２の速度は、
前記チャネル符号化部によりチャネル符号化された信号のシンボルが前記メモリ部に入力されるシンボル入力速度に前記反復回数をかけた値であることを特徴とする請求項２に記載の非メモリ誤り訂正チャネルコーディングされた信号の反復伝送装置。
【請求項１７】
前記所定の第１の速度は、
前記第２の速度と同じであることを特徴とする請求項１６に記載の非メモリ誤り訂正チャネルコーディングされた信号の反復伝送装置。
【請求項１８】
前記記録アドレス発生部は、
前記反復回数がＲであり、前記チャネル符号化された信号が貯蔵される１番目のアドレスがＫである場合、前記チャネル符号化された信号のＮ番目のシンボルを前記メモリ部のＮ＋Ｋ、Ｎ＋Ｍ＊１＋Ｋ、・・・、Ｎ＋Ｍ＊（Ｒ−１）＋Ｋ番目のアドレスの順序で順次記録するように記録アドレスを発生させ、
前記読取アドレス発生部は、
前記メモリ部の前記Ｋ番目のアドレスから順次読み取るように読取アドレスを発生させることを特徴とする請求項１７に記載の非メモリ誤り訂正チャネルコーディングされた信号の反復伝送装置。
【請求項１９】
前記所定の第１の速度は、
前記シンボル入力速度であることを特徴とする請求項１６に記載の非メモリ誤り訂正チャネルコーディングされた信号の反復伝送装置。
【請求項２０】
前記記録アドレス発生部は、
前記チャネル符号化された信号のシンボルを前記メモリ部のＫ番目のアドレスから順次記録するように記録アドレスを生成させ、
前記読取アドレス発生部は、
前記メモリ部のＫ番目のアドレスから順次読み取るように読取アドレスを発生させ、
前記発生された読取アドレスｎが前記チャネル符号化された信号の長さであるＭを超える場合、前記読取アドレスをｎから（ｎ  ｍｏｄ  Ｍ）＋Ｋに変更させることを特徴とする請求項１９に記載の非メモリ誤り訂正チャネルコーディングされた信号の反復伝送装置。
【発明の詳細な説明】
【０００１】
【発明の属する技術分野】
本発明は、物理階層チャネルコーディングの反復伝送に関し、特に時間多様性（ｔｉｍｅ−ｄｉｖｅｒｓｉｔｙ）を最大に確保する位置における反復伝送する装置、受信装置及びその方法に関する。
【０００２】
【従来の技術】
次世代移動通信システム（ＩＭＴ−２０００）は、ディジタルセルラーシステム、個人携帯通信システム等に次いで高用量、良質の多様なサービス、国際間のローミング（Ｒｏａｍｉｎｇ）などを主な特徴とする無線通信システムとして、２０００年頃にそのサービスを開始する予定である。このような次世代移動通信システム（ＩＭＴ−２０００）は、インターネット（ｉｎｔｅｒｎｅｔ）サービスや電子商取引（ｅｌｅｃｔｒｏｎｉｃ  ｃｏｍｍｅｒｃｅ）に適用し得る高速のデータ伝送とマルチメディアサービスとを提供することをその特徴とする。
【０００３】
このようなマルチメディアサービスを支援するための技術的な方策として、各トラフィックに該当するチャネルを直交拡散のためのコードに区分するコードマルチプレックシング方法と各トラフィックを一つのチャネルに結合し、この結合方式を知らせることによって区分する時間マルチプレックシング方法がある。次世代移動通信システム（ＩＭＴ−２０００）において、上記コードマルチプレックシング方法は、米国のＴＩＡを中心にした３ＧＰＰ２で標準化作業をしている基地局間の同期方式システム（ＩＳ−２０００）に適用されている。
【０００４】
上記時間マルチプレックシング方法は、韓国、ヨーロッパ、日本などにより構成された３ＧＰＰで標準化作業をしている基地局間の非同期方式システム（Ｗ−ＣＤＭＡ）に適用されている。したがって、上記基地局間の非同期方式の次世代移動通信システム（Ｗ−ＣＤＭＡ）では、時間マルチプレックシングを支援するため可変データ率（ｄａｔａ  ｒａｔｅ）のマルチメディアをサービスする場合には、一つまたは二つ以上のチャネルにより結合させたトラフィック等の結合形態に対する情報をトラフィック信号と共に伝送すべきであるが、これをトランスポートフォーマット結合指示子（Ｔｒａｎｓｐｏｒｔ  ｃｈａｎｎｅｌ  Ｆｏｒｍａｔ  Ｃｏｍｂｉｎａｔｉｏｎ  Ｉｎｄｉｃａｔｏｒ；  ＴＦＣＩ）と定義する。
【０００５】
上記トランスポートフォーマット結合指示子（ＴＦＣＩ）は、結合されたトラフィックを処理するため必然的な情報であって、かなり高い信頼度を維持させるため誤り訂正符号化技法を用いる。しかし、現在伝送されている信号と共に伝送されるため、一般に知られている誤り訂正チャネルコーディング方法のように復号化過程で多くの時間がかかる方法は適用されることができない。したがって、復号化過程に時間があまりかからない非メモリ誤り訂正チャネルコーディング方法を適用する。非メモリ誤り訂正チャネルコーディングと反復伝送とは、上記トランスポートフォーマット結合指示子（ＴＦＣＩ）だけでなく、時間遅延に致命的な情報を高い信頼性を維持しながら伝送するための他の応用分野にも用いることができる。
【０００６】
上記非メモリ誤り訂正チャネルコーディング方法には、直交コーディング（ｏｒｔｈｏｇｏｎａｌ  ｃｏｄｉｎｇ）技法、準直交コーディング（ｂｉ−ｏｒｔｈｏｇｏｎａｌ  ｃｏｄｉｎｇ）技法、リードマラーコーディング（Ｒｅｅｄ−Ｍｕｌｌｅｒ  ｃｏｄｉｎｇ）技法などがある。特に、現在３ＧＰＰ規格では、トランスポートフォーマット結合指示子（Ｔｒａｎｓｐｏｒｔ  ｃｈａｎｎｅｌ  Ｆｏｒｍａｔ  Ｃｏｍｂｉｎａｔｉｏｎ  Ｉｎｄｉｃａｔｏｒ；  ＴＦＣＩ）の非メモリ誤り訂正チャネルコーディング技法として準直交コーディング技法とリードマラーコーディング技法とを結合した第２次リードマラーコーディング技法を用いる。
【０００７】
以下に、現在ＩＭＴ−２０００非同期方式の標準案である３ＧＰＰ（３ｒｄ  Ｇｅｎｅｒａｔｉｏｎ  Ｐａｒｔｎｅｒｓｈｉｐ  Ｐｒｏｊｅｃｔ）において、トランスポートフォーマット結合指示子（ＴＦＣＩ）のチャネルコーディング方法として採択されたリードマラーチャネルコーディング方法を例に挙げて、上記非メモリ誤り訂正チャネルコーディング方法について説明する。
【０００８】
第１次リードマラーチャネルコーディング方法と第２次リードマラーチャネルコーディング方法は、用いるコードの種類に応じて区分することができる。すなわち、第１次リードマラーチャネルコーディング方法は、直交コーディングや準直交コーディングに用いられるアダマールシーケンス（Ｈａｄａｍａｒｄ  ｓｅｑｕｅｎｃｅ）をコード（ｃｏｄｅ  １  −  ｃｏｄｅ  Ｎ）として用いるコーディング方法であり、第２次リードマラーチャネルコーディング方法は、アダマールシーケンスとＧｏｌｄ  ｃｏｄｅのような任意の符号を共に用いるコーディング方法である。このコードは、符号化の対象となる情報により積算されて全て足される。
【０００９】
伝送する情報の数（ビット単位）に応じて可能な符号化出力の種類が決定されるが、伝送する情報の数がＭビットであれば、符号化された結果の種類は２Ｍ−１個である。上記のような符号化技法を復号化する時には、可能な符号化出力の全ての種類に対して復号化を行なって、最大の出力を得るようになる場合に該当する情報を確保することとなる。
【００１０】
このような非メモリ誤り訂正チャネルコーディング方法と共に、上記トランスポートフォーマット結合指示子（ＴＦＣＩ）の伝送信頼性を高めるために用いられることのできる方法として反復伝送が挙げられる。これは、順方向のように拡散ファクター（ｓｐｒｅａｄｉｎｇ  ｆａｃｔｏｒ）によって上記トランスポートフォーマット結合指示子（ＴＦＣＩ）の非メモリ誤り訂正チャネルコーディングされたシンボルの周期が変わる場合、低い拡散ファクター（ｓｐｒｅａｄｉｎｇ  ｆａｃｔｏｒ）では、トランスポートフォーマット結合指示子（ＴＦＣＩ）の伝送信頼性を確保するのが困難であるため、一定以上の周期を保障するため反復伝送を行なうこととなる。現在３ＧＰＰの順方向規格によれば、拡散ファクター（ｓｐｒｅａｄｉｎｇ  ｆａｃｔｏｒ）が１２８より小さい場合には、上記トランスポートフォーマット結合指示子（ＴＦＣＩ）の非メモリ誤り訂正チャネルコーディングされたシンボルを４回反復して伝送するが、この場合用いられる方法は、シンボル反復（ｓｙｍｂｏｌ  ｒｅｐｅｔｉｔｉｏｎ）方式である。これは、同じデータを伝送する際に、隣接されるように伝送することであって、簡単な構造を用いて反復されたシンボルを復旧し得る長所がある。
【００１１】
【発明が解決しようとする課題】
しかしながら、移動通信チャネル環境のようにフェージィング（ｆａｄｉｎｇ）の激しい無線環境では、シンボル反復を介して隣接された時間に同じ情報を伝送することとなるときには、復調されたシンボルの信頼性が落ち得るし、これは上記非メモリ誤り訂正チャネルコーディングの性能を減少させることとなる。したがって、反復伝送技法を用いる時、シンボル反復に比べて別途のハードウェアを追加しなくて、復調されたシンボルの信頼性を高めることによって上記非メモリ誤り訂正チャネルコーディング方法の性能を向上させる必要がある。
【００１２】
したがって、本発明は、上記のような従来技術の問題点を解決するために案出されたものであって、非メモリ誤り訂正チャネルコーディング方法を介してコーディングされた信号を反復して伝送する場合、復調されたシンボルの時間多様性を最大に得ることのできる非メモリ誤り訂正チャネルコーディングされた信号の反復伝送装置、受信装置及びその方法を提供する。
【００１５】
【課題を解決するための手段】
前述した目的を達成するため、本発明にかかる非メモリ誤り訂正チャネルコーディングされた信号の反復伝送装置は、非メモリ誤り訂正チャネルコーディングされた信号の反復伝送装置において、伝送するデータを非メモリ誤り訂正チャネルコーディング信号にチャネル符号化するチャネル符号化部と、同じシンボル間の距離を一定に維持し、伝送単位内でシンボル間の間隔が最大となるように前記チャネル符号化部から出力されるチャネル符号化された信号のシンボルを反復させるシンボル反復部と、前記シンボル反復部からシンボルを入力されると、他の伝送データとデマルチプレックシング及び変調して伝送するシンボル伝送部とを含んでなり、前記シンボル反復部は、前記チャネル符号化部によりチャネル符号化された信号のシンボルを貯蔵するメモリ部と、前記チャネル符号化部から出力される前記チャネル符号化された信号のシンボルを受信し、前記メモリ部に対して所定の第１の速度でスイッチングして、前記メモリ部に記録する記録スイッチ部と、前記メモリ部に対して所定の第２の速度でスイッチングして、前記メモリ部に記録貯蔵された前記チャネル符号化された信号のシンボルに対して同じシンボル間の距離を一定に維持し、伝送単位内でシンボル間の間隔が最大となるように所定の反復回数だけ読み取り、シンボル伝送部に出力する読取スイッチ部と、前記メモリ部、記録スイッチ部及び読取スイッチ部を制御するシンボル反復制御部とを含んでなることを特徴とする。
【００１６】
また、本発明にかかる非メモリ誤り訂正チャネルコーディングされた信号の反復伝送装置は、非メモリ誤り訂正チャネルコーディングされた信号の反復伝送装置において、伝送するデータを非メモリ誤り訂正チャネルコーディング信号にチャネル符号化するチャネル符号化部と、同じシンボル間の距離を一定に維持し、伝送単位内でシンボル間の間隔が最大となるように前記チャネル符号化部から出力されるチャネル符号化された信号のシンボルを反復させるシンボル反復部と、前記シンボル反復部からシンボルを入力されると、他の伝送データとデマルチプレックシング及び変調して伝送するシンボル伝送部とを含んでなり、前記シンボル反復部は、前記チャネル符号化部によりチャネル符号化された信号のシンボルを貯蔵し、貯蔵された前記シンボルをシンボル伝送部に出力するメモリ部と、前記チャネル符号化部によりチャネル符号化された信号のシンボルを前記メモリ部に記録するために所定の第１の速度で記録アドレスを発生させる記録アドレス発生部と、前記メモリ部に記録された前記チャネル符号化された信号のシンボルに対して同じシンボル間の距離を一定に維持し、伝送単位内でシンボル間の間隔が最大となるように所定の反復回数だけ読み取るために所定の第２の速度で読取アドレスを発生させる読取アドレス発生部と、前記記録アドレス及び読取アドレスのいずれか一つのアドレスを選択して前記チャネル符号化部によりチャネル符号化された信号を前記メモリ部の前記記録アドレスに記録させるか、前記メモリ部の読取アドレスに記録貯蔵されたチャネル符号化された信号を読み取ってシンボル伝送部に出力させるアドレス選択部と、前記メモリ部、記録アドレス発生部、読取アドレス発生部及びアドレス選択部を制御するシンボル反復制御部とを含んでなることを特徴とする。
【００１７】
また、本発明にかかる反復伝送装置からシンボルが反復伝送される非メモリ誤り訂正チャネルコーディングされた信号の受信装置は、伝送するデータを非メモリ誤り訂正チャネルコーディング信号にチャネル符号化するチャネル符号化部と、同じシンボル間の距離を一定に維持し、伝送単位内でシンボル間の間隔が最大となるように前記チャネル符号化部から出力されるチャネル符号化された信号のシンボルを反復させるシンボル反復部と、前記シンボル反復部からシンボルを入力されると、他の伝送データとデマルチプレックシング及び変調して伝送するシンボル伝送部とを含んでなる非メモリ誤り訂正チャネルコーディングされた信号の反復伝送装置からシンボルが反復伝送される非メモリ誤り訂正チャネルコーディングされた信号の受信装置において、前記シンボル伝送部から伝送される信号を受信して復調し、前記信号をデマルチプレックシングして非メモリ誤り訂正チャネルコーディングされた信号にチャネル符号化され反復されたシンボルのみを出力するシンボル受信部と、前記チャネル符号化され反復されたシンボルを結合して前記反復伝送装置において反復される前のチャネル符号化された信号に復旧するシンボル復旧部と、前記シンボル復旧部から出力されるチャネル符号化された信号に対してチャネル復号化するチャネル復号化部とを含んでなることを特徴とする。
【００１８】
好ましくは、前記シンボル復旧部は、前記シンボル受信部から出力されるチャネル符号化され反復されたシンボルを貯蔵し、貯蔵されたシンボルをチャネル複号化部に出力するメモリ部と、前記シンボル受信部から出力される前記シンボルのうちｎ（ｎは２より大きい自然数）回目に反復された任意のシンボルと前記メモリ部に既に記録貯蔵されたｎ−１回目に反復されたシンボルであって、前記ｎ回目に反復されたシンボルに対応するシンボルを結合して、前記メモリ部に貯蔵する結合部と、前記反復伝送装置におけるシンボル入力速度に前記反復回数をかけた値の速度で前記メモリ部の１番目の位置から順次スイッチングして、前記結合部とメモリ部とを結合させることによって、前記メモリ部に既に記録貯蔵されたシンボルを前記結合部に読み取らせ、前記結合部から出力されるシンボルを前記メモリ部に記録するスイッチ部と、前記メモリ部、結合部、及びスイッチ部を制御するシンボル復旧制御部とを含んでなることを特徴とする。
【００１９】
さらに好ましくは、前記シンボル復旧部は、前記シンボル受信部から出力されるチャネル符号化され反復されたシンボルを貯蔵し、貯蔵されたシンボルをチャネル複号化部に出力するメモリ部と、前記シンボル受信部から出力される前記シンボルのうち、ｎ（ｎは２より大きい自然数）回目に反復された任意のシンボルと前記メモリ部に既に記録貯蔵されたｎ−１回目に反復されたシンボルであって、前記ｎ回目に反復されたシンボルに対応するシンボルを結合して、前記メモリ部に貯蔵する結合部と、前記反復伝送装置におけるシンボル入力速度に前記反復回数をかけた値の速度で前記メモリ部の１番目のアドレスから順次記録するように記録アドレスを発生させ、前記結合部とメモリ部とを連結させることによって、前記メモリ部に既に記録貯蔵されたシンボルを前記結合部に読み取らせ、前記結合部から出力されるシンボルを前記メモリ部に記録させるアドレス発生部と、前記メモリ部、結合部及びアドレス発生部を制御するシンボル復旧制御部とを含んでなることを特徴とする。
【００２２】
また、本発明にかかる非メモリ誤り訂正チャネルコーディングされた信号の反復伝送方法は、非メモリ誤り訂正チャネルコーディングされた信号の反復伝送方法において、伝送するデータを非メモリ誤り訂正チャネルコーディングされた信号にチャネル符号化するチャネル符号化ステップと、同じシンボル間の距離を一定に維持し、伝送単位内でシンボル間の間隔が最大となるように前記チャネル符号化ステップによりチャネル符号化された信号のシンボルを反復させるシンボル反復ステップと、前記シンボル反復ステップにより反復されたシンボルを他の伝送データとマルチプレックシング及び変調して伝送するシンボル伝送ステップとを含んでなり、前記シンボル反復ステップは、前記チャネル符号化ステップによりチャネル符号化された信号のシンボルを所定の第１の速度でスイッチングしてメモリに記録する記録スイッチステップと、前記メモリに対して所定の第２の速度でスイッチングして前記記録されたシンボルに対して同じシンボル間の距離を一定に維持し、伝送単位内でシンボル間の間隔が最大となるように所定の反復回数だけ読み取る読取スイッチステップとを含んでなることを特徴とする。
【００２３】
また、本発明にかかる非メモリ誤り訂正チャネルコーディングされた信号の反復伝送方法は、非メモリ誤り訂正チャネルコーディングされた信号の反復伝送方法において、伝送するデータを非メモリ誤り訂正チャネルコーディングされた信号にチャネル符号化するチャネル符号化ステップと、同じシンボル間の距離を一定に維持し、伝送単位内でシンボル間の間隔が最大となるように前記チャネル符号化ステップによりチャネル符号化された信号のシンボルを反復させるシンボル反復ステップと、前記シンボル反復ステップにより反復されたシンボルを他の伝送データとマルチプレックシング及び変調して伝送するシンボル伝送ステップとを含んでなり、前記シンボル反復ステップは、前記チャネル符号化ステップによりチャネル符号化された信号のシンボルを記録するために所定の第１の速度で記録アドレスを発生させる記録アドレス発生ステップと、前記記録されたシンボルに対して同じシンボル間の距離を一定に維持し、伝送単位内でシンボル間の間隔が最大となるように所定の反復回数だけ読み取るために所定の第２の速度で読取アドレスを発生させる読取アドレス発生ステップと、前記記録アドレス及び読取アドレスのいずれか一つのアドレスを選択して前記チャネル符号化ステップによりチャネル符号化された信号をメモリの前記記録アドレスに記録させるか、前記メモリの読取アドレスに記録されたチャネル符号化された信号を読み取らせるアドレス選択ステップとを含んでなることを特徴とする。
【００２４】
また、本発明にかかる反復伝送方法によりシンボルが反復伝送される非メモリ誤り訂正チャネルコーディングされた信号の受信方法は、伝送するデータを非メモリ誤り訂正チャネルコーディングされた信号にチャネル符号化するチャネル符号化ステップと、同じシンボル間の距離を一定に維持し、伝送単位内でシンボル間の間隔が最大となるように前記チャネル符号化ステップによりチャネル符号化された信号のシンボルを反復させるシンボル反復ステップと、前記シンボル反復ステップにより反復されたシンボルを他の伝送データとマルチプレックシング及び変調して伝送するシンボル伝送ステップとを含んでなる非メモリ誤り訂正チャネルコーディングされた信号の反復伝送方法によりシンボルが反復伝送される非メモリ誤り訂正チャネルコーディングされた信号の受信方法において、前記シンボル伝送ステップにより伝送される信号を受信して復調し、前記信号をデマルチプレックシングして非メモリ誤り訂正チャネルコーディング信号にチャンネル符号化され反復されたシンボルのみを出力するシンボル受信ステップと、前記チャネル符号化され反復されたシンボルを結合して、前記反復伝送方法で反復される前のチャネル符号化された信号に復旧するシンボル復旧ステップと、前記シンボル復旧ステップにより復旧されたチャネル符号化された信号に対してチャネル復号化するチャネル復号化ステップとを含んでなることを特徴とする。
【００２５】
好ましくは、前記シンボル復旧ステップは、前記シンボル受信ステップによりチャネル符号化され反復されたシンボルのうちｎ（ｎは２より大きい自然数）回目に反復された任意のシンボルと既にメモリに記録されたｎ−１回目に反復されたシンボルであって、前記ｎ回目に反復されたシンボルに対応するシンボルを結合する結合ステップと、前記反復伝送方法におけるシンボル入力速度に前記反復回数をかけた値の速度で前記メモリの１番目の位置から順次スイッチングして、前記結合ステップのために前記メモリに既に記録されたシンボルを読み取らせ、前記結合ステップにより結合されたシンボルを前記メモリに記録するスイッチステップとを含んでなることを特徴とする。
【００２６】
好ましくは、前記シンボル復旧ステップは、前記シンボル受信ステップによりチャネル符号化され反復されたシンボルのうちｎ（ｎは２より大きい自然数）回目に反復された任意のシンボルと既にメモリに記録されたｎ−１回目に反復されたシンボルであって、前記ｎ回目に反復されたシンボルに対応するシンボルを結合する結合ステップと、前記反復伝送方法におけるシンボル入力速度に前記反復回数をかけた値の速度で前記メモリの１番目のアドレスから順次記録するように記録アドレスを発生させて、前記結合ステップのために前記メモリに既に記録されたシンボルを読み取らせ、前記結合ステップにより結合されたシンボルを前記メモリに記録させるアドレス発生ステップとを含んでなることを特徴とする。
【００２７】
また、前記所定の第２の速度は、前記チャネル符号化部によりチャネル符号化された信号のシンボルが前記スイッチ部に入力されるシンボル入力速度に前記反復回数をかけた値であることを特徴とする。
【００２８】
ここで、前記所定の第１の速度は、前記第２の速度と同じであることを特徴とする。
【００２９】
ここで、前記記録スイッチ部は、前記反復回数がＲである場合、前記チャネル符号化された信号のＮ番目のシンボルを前記メモリ部のＮ、Ｎ＋Ｍ＊１、・・・、Ｎ＋Ｍ＊（Ｒ−１）番目の位置の順序で順次記録するようにスイッチングし、前記読取スイッチ部は、前記メモリ部の１番目の位置から順次スイッチングすることを特徴とする。
【００３０】
また、前記所定の第１の速度は、前記シンボル入力速度であることを特徴とする。
【００３１】
ここで、前記記録スイッチ部は、前記チャネル符号化された信号のシンボルを前記メモリ部の１番目の位置から順次記録するようにスイッチングし、前記読取スイッチ部は、前記メモリ部の１番目の位置から順次スイッチングすることを特徴とする。
【００３２】
また、前記所定の第２の速度は、前記チャネル符号化部によりチャネル符号化された信号のシンボルが前記メモリ部に入力されるシンボル入力速度に前記反復回数をかけた値であることを特徴とする。
【００３３】
ここで、前記所定の第１の速度は、前記第２の速度と同じであることを特徴とする。
【００３４】
ここで、前記記録アドレス発生部は、前記反復回数がＲであり、前記チャネル符号化された信号が貯蔵される１番目のアドレスがＫである場合、前記チャネル符号化された信号のＮ番目のシンボルを前記メモリ部のＮ＋Ｋ、Ｎ＋Ｍ＊１＋Ｋ、・・・、Ｎ＋Ｍ＊（Ｒ−１）＋Ｋ番目のアドレスの順序で順次記録するように記録アドレスを発生させ、前記読取アドレス発生部は、前記メモリ部の前記Ｋ番目のアドレスから順次読み取るように読取アドレスを発生させることを特徴とする。
【００３５】
また、前記所定の第１の速度は、前記シンボル入力速度であることを特徴とする。
【００３６】
ここで、前記記録アドレス発生部は、前記チャネル符号化された信号のシンボルを前記メモリ部のＫ番目のアドレスから順次記録するように記録アドレスを生成させ、前記読取アドレス発生部は、前記メモリ部のＫ番目のアドレスから順次読み取るように読取アドレスを発生させ、前記発生された読取アドレスｎが前記チャネル符号化された信号の長さであるＭを超える場合、前記読取アドレスをｎから（ｎ  ｍｏｄ  Ｍ）＋Ｋに変更させることを特徴とする。
【００４１】
【発明の実施の形態】
以下、添付した図面を参照しながら本発明の一実施形態にかかる“非メモリ誤り訂正チャネルコーディングの反復伝送方法及びその装置”を説明すれば、以下の通りである。
【００４２】
図１は、本発明の一実施形態にかかる非メモリ誤り訂正チャネルコーディングの反復伝送装置を示した構成図である。これは、大きく分けると、伝送するデータをチャネル符号化、反復、マルチプレックシング及び変調を介して伝送する伝送部１００と、伝送部１００から受信された信号が入力されると復調、デマルチプレックシング（ｄｅ−ｍｕｌｔｉｐｌｅｘｉｎｇ）、反復復旧、チャネル復号化を介して伝送された情報を復旧する受信部２００とから構成される。
【００４３】
伝送部１００は、情報発生部１１０から発生された情報を該当チャネル符号化技法を用いてチャネル符号化過程を経た後、シンボル繰り返しを行なう符号化部１２０と、符号化部１２０から伝送されるシンボルが入力されると他の情報とのマルチプレックシング及び変調などを行なった後出力するシンボル伝送部１３０とから構成される。この符号化部１２０は、情報発生部１１０から発生された情報を該当チャネル符号化技法を用いてチャネル符号化するチャネル符号化部１２１と、チャネル符号化部１２１からチャネル符号化された信号が入力されると反復させるシンボル反復部１２２とから構成される。
【００４４】
かかるシンボル反復部１２２は、二つの方法により具現することができるが、その一実施形態を図２に示しており、他の実施形態は図３に示している。
【００４５】
本発明の一実施形態にかかるシンボル反復部１２２Ａは、図２に示したようにチャネル符号化部１２１からチャネル符号化された信号が入力されると該当するメモリ位置にスイッチングする記録スイッチ部１２２Ａ−１と、記録スイッチ部１２２Ａ−１から選択された位置にチャネル符号化部１２１からチャネル符号化された信号を貯蔵するメモリ部１２２Ａ−２と、メモリ部１２２Ａ−２から反復順に応じてメモリを指定して該当データを読み出してシンボル伝送部１３０に出力する読取スイッチ部１２２Ａ−３と、記録スイッチ部１２２Ａ−１とメモリ部１２２Ａ−２と読取スイッチ部１２２Ａ−３とを制御するシンボル反復制御部１２２Ａ−４とから構成される。
【００４６】
また、本発明の他の実施形態にかかるシンボル反復部１２２Ｂは、図３に示したように、チャネル符号化部１２１からチャネル符号化された信号をメモリに記録するアドレスを発生させる記録アドレス発生部１２２Ｂ−１と、メモリに貯蔵された情報を読み出してシンボル伝送部１３０に出力する情報を選択するための読取アドレス発生部１２２Ｂ−２と、上記記録アドレス発生部１２２Ｂ−１と読取アドレス発生部１２２Ｂ−２のいずれか一つを選択するためのアドレス選択部１２２Ｂ−３と、チャネル符号化部１２１からチャネル符号化された信号を実際に貯蔵するメモリ部１２２Ｂ−４と、記録アドレス発生部１２２Ｂ−１と読取アドレス発生部１２２Ｂ−２とアドレス選択部１２２Ｂ−３とメモリ部１２２Ｂ−４とを制御するためのシンボル反復制御部１２２Ｂ−５とから構成される。
【００４７】
一方、受信部２００は、図１に示したように伝送部１００から伝送された信号を受信して、復調及び他の情報とのデマルチプレックシング（ｄｅ−ｍｕｌｔｉｐｌｅｘｉｎｇ）を介して非メモリ誤り訂正チャネル符号化された信号を出力するシンボル受信部２１０と、シンボル受信部２１０から受信されたチャネル符号化及び反復された信号が入力されると、本来伝送された信号を発生させる復号化部２２０及び復号化部２２０から復号化された信号が入力されると、該当する情報を確認して上位階層へ移送する情報処理部２３０とから構成される。
【００４８】
ここで、復号化部２２０は、シンボル受信部２１０から入力される反復された信号を結合して、反復される前のチャネル符号化された形態の信号に変更させるシンボル復旧部２２１と、シンボル復旧部２１１から出力される信号が入力されるとチャネル復号化を行なって情報処理部２３０に出力するチャネル復号化部２２２とから構成される。
【００４９】
ここで、シンボル復旧部は、二つの方法により具現することができるが、その一実施形態にかかるシンボル復旧部は、図４に示しており、他の実施形態にかかるシンボル復旧部は、図５に示している。
【００５０】
本発明の一実施形態にかかるシンボル復旧部２２１Ａは、図４に示したように、シンボル受信部２１０から復調された信号を入力され、該当信号と反復により入力された以前の信号とを結合する結合部２２１Ａ−１と、結合部２２１Ａ−１で結合された信号を該当メモリの該当位置にスイッチし、シンボル受信部２１０から結合部２２１Ａ−１に入力された信号に該当するメモリの位置にスイッチするスイッチ部２２１Ａ−２と、スイッチ部２２１Ａ−２を介して結合部２２１Ａ−１で結合された結果が入力されると現在指定されたメモリ位置に貯蔵し、スイッチ部２２１Ａ−２でスイッチされた貯蔵値を上記スイッチ部２２１Ａ−２を介して上記結合部２２１Ａ−１に出力し、上記結合部２２１Ａ−１で反復された信号を全て結合させた後、貯蔵値を上記チャネル復号化部２２２に出力するメモリ部２２１Ａ−３と、上記結合部２２１Ａ−１とスイッチ部２２１Ａ−２とメモリ部２２１Ａ−３とを制御するシンボル復旧制御部２２１Ａ−４とから構成される。
【００５１】
また、本発明の他の実施形態にかかるシンボル復旧部２２１Ｂは、図５に示したように、シンボル受信部２１０から復調された信号が入力されると、該当信号と反復により入力された以前の信号とを結合する結合部２２１Ｂ−１と、該当メモリの位置を指摘するためのアドレス発生部２２１Ｂ−２と、結合部２２１Ｂ−１で結合された信号が入力されるとアドレス発生部２２１Ｂ−２で指定した位置に貯蔵し、シンボル受信部２１０から結合部２２１Ｂ−１に入力された信号に該当する貯蔵値を結合部２２１Ｂ−１に出力するメモリ部２２１Ｂ−３と、上記結合部２２１Ｂ−１とアドレス発生部２２１Ｂ−２とメモリ部２２１Ｂ−３とを制御するシンボル復旧制御部２２１Ｂ−４とから構成される。
【００５２】
以下、上記のように構成された本発明の非メモリ誤り訂正チャネルコーディングの反復伝送装置の各構成要素等の動作を説明すれば、以下の通りである。
【００５３】
まず、図２に示したシンボル反復部１２２Ａの動作を説明すれば、以下の通りである。本発明にかかる非メモリ誤り訂正チャネル符号化技法の反復伝送装置は、記録スイッチ部１２２Ａ−１に反復規則を適用する場合と読取スイッチ部１２２Ａ−３に反復規則を適用する場合とがある。記録スイッチ部１２２Ａ−１に反復規則を適用すれば、記録スイッチ部１２２Ａ−１と読取スイッチ部１２２Ａ−３とのスイッチング速度は、シンボル入力速度より反復回数倍ほど速い。一方、読取スイッチ部１２２Ａ−３に反復規則を適用すれば、記録スイッチ部１２２Ａ−１のスイッチング速度は、シンボル入力速度と同じであり、読取スイッチ部のスイッチング速度は、シンボル入力速度より反復回数倍ほど速い。
【００５４】
シンボル反復部１２２では、チャネル符号化部１２１からチャネル符号化されたシンボルが入力されてシンボルを反復出力する場合、同じシンボル間の距離を一定に設定し、伝送単位内で間隔を最大に設定することが好ましい。ここで、同じシンボル間の距離は、非常に簡単な方法で具現及び実現し得るし、最大の間隔を設定することは、反復されたシンボル間の時間多様性を最大にすることのできる長所を有している。このための最も簡単な手段は、チャネル符号化されたシンボル全てを単位にして繰り返す方法である。
【００５５】
まず、記録スイッチ部１２２Ａ−１に反復規則を適用する場合、記録スイッチ部１２２Ａ−１は、チャネル符号化部１２１から信号が出力される間、反復回数分ほどスイッチングを行なうが、チャネル符号化された信号の長さほどずつ飛ばしてスイッチングする。例えば、３０個のチャネル符号化された信号を４回繰り返す場合、一つのシンボルが入力されれば、記録スイッチ部１２２Ａ−１は、メモリ部１２２Ａ−２の１、３１、６１、９１番目を順にスイッチングする。また、次のシンボルが入力されれば、記録スイッチ部１２２Ａ−１は、メモリ部１２２Ａ−２の２、３２、  ６２、９２番目を順にスイッチングする。
【００５６】
これを一般的に示せば、チャネル符号化された信号の長さがＭであり、反復回数がＲである場合、任意のシンボルが入力されれば（Ｎ番目）、記録スイッチ部１２２Ａ−１でスイッチングする順序は｛Ｎ、Ｎ＋Ｍ＊１、、Ｎ＋Ｍ＊（Ｒ−１）｝である。このように反復規則を記録スイッチ部１２２Ａ−１に適用すれば、読取スイッチ部１２２Ａ−３は、簡単にメモリの第一番目から順に増加させ、上記チャネル符号化部１２１からのシンボル入力速度より反復回数倍ほど速くスイッチングする。
【００５７】
これに対し、読取スイッチ部１２２Ａ−３に反復規則を適用する場合、上記記録スイッチ部１２２Ａ−１は、簡単にメモリの第一番目から順に増加させ、チャネル符号化部１２１のシンボル入力速度と同じ速度でスイッチングする。しかし、読取スイッチ部１２２Ａ−３は、メモリの第一番目から順に増加させることは同じであるが、上記チャネル符号化部１２１からのシンボル入力速度より反復回数倍ほど速くスイッチングして、入力シンボルを反復回数分ほど反復スイッチングする。
【００５８】
このように読取スイッチ部１２２Ａ−３に反復規則を適用する場合には、記録スイッチ部１２２Ａ−１に適用される場合に比べて、メモリの大きさが反復回数倍ほど減ることとなり、スイッチ順序が非常に簡単である。
【００５９】
また、図３に示したシンボル反復部１２２Ｂの動作を説明すれば、以下の通りである。シンボル反復制御部１２２Ｂ−５は、アドレス選択部１２２Ｂ−３を制御して記録アドレス発生部１２２Ｂ−１を選択する。このように構成されたシンボル反復部１２２Ｂも記録アドレス発生部１２２Ｂ−１に反復規則を適用する場合と取アドレス発生部１２２Ｂ−２に反復規則を適用した場合とがある。メモリの大きさとアドレス発生規則などとを考慮すれば、読取アドレス発生部１２２Ｂ−２に反復規則を適用した方がさらに好ましい。
【００６０】
読取アドレス発生部１２２Ｂ−２に反復規則を適用した場合、記録アドレス発生部１２２Ｂ−１は、メモリ部１２２Ｂ−４の第一番目のアドレスから順に増加されるアドレスをチャネル符号化されたシンボルの入力速度と同期して（同様一に）発生させ、読取アドレス発生部１２２Ｂ−２は、チャネル符号化されたシンボルの入力速度より反復回数倍ほど速く第一番目のアドレスから順に増加されるアドレスをチャネル符号化されたシンボルの入力速度と同期して（同様一に）発生させる。
【００６１】
ただし、読取アドレス発生部１２２Ｂ−１で発生されたアドレスがメモリ部１２２Ｂ−４に貯蔵された情報の位置を超える場合、再び第一番目のアドレスに変更すべきである。すなわち、第一番目のメモリアドレスがｋであり、チャネル符号化されたシンボルの長さがＭである場合、ｎ番目読取アドレスは、“（ｎ  ｍｏｄ  Ｍ）＋ｋ”である。
【００６２】
また、図４に示したシンボル復旧部２２１Ａの動作を説明すれば、以下の通りである。シンボル受信部２１０で復調及びデマルチプレックシングした信号が、反復された信号の中で第一番目の信号である場合、結合部２２１Ａ−１は、スイッチ部２２１Ａ−２で指定したメモリ部２２１Ａ−３の位置に貯蔵する。この場合、スイッチ部２２１Ａ−２は、シンボル受信部２１０から入力されるデータ速度と同じ速度で第一番目のメモリ位置から順にメモリの位置を移して指定する。この場合、シンボル復旧制御部２２１Ａ−４は、メモリ部２２１Ａ−３を記録状態（ＷＲＩＴＥ）に設定する。
【００６３】
シンボル受信部２１０で復調及びデマルチプレックシングした信号が、反復された信号の中で第一番目の信号ではない場合、スイッチ部２２１Ａ−２は、シンボル受信部２１０から入力されるデータ速度と同じ速度で再び第一番目のメモリ位置から順にメモリの位置を移して指定する。この場合、シンボル復旧制御部２２１Ａ−４は、メモリ部２２１Ａ−３を読取状態（ＲＥＡＤ）に設定して、メモリ部２２１Ａ−３から該当位置に貯蔵された値を結合部２２１Ａ−１に出力する。結合部２２１Ａ−１は、シンボル受信部２１０から入力される信号とメモリ部２２１Ａ−３から入力された信号とを結合する。この場合、シンボル復旧制御部２２１Ａ−４は、メモリ部２２１Ａ−３を記録状態（ＷＲＩＴＥ）に設定し、結合部２２１Ａ−１で結合された値をメモリ部２２１Ａ−３の該当位置に貯蔵する。
【００６４】
このように、一つの入力を受けてメモリ部２２１Ａ−３に貯蔵された値と足して再びメモリ部２２１Ａ−３に貯蔵する間、スイッチ部２２１Ａ−２でスイッチングするメモリ部の位置は変更されない。したがって、メモリ部２２１Ａ−３は、チャネル符号化された信号の長さほどの大きさであれば、十分である。このようにチャネル復号化する信号を全てメモリ部２２１Ａ−３に貯蔵した後には、貯蔵された値をチャネル復号化部２２２に出力し、これを入力された上記チャネル復号化部２２２は、復号化過程を介して伝送された情報を獲得する。
【００６５】
また、図５に示したシンボル復旧部２２１Ｂの動作を説明すれば、以下の通りである。このようなシンボル復旧部２２１Ｂの動作は、図４に示したシンボル復旧部２２１Ａとその動作が類似している。ただし、図４のシンボル復旧部２２１Ａは、スイッチ部２２１Ａ−２がメモリ部２２１Ａ−３の位置を指定したのに対し、図５のシンボル復旧部２２１Ｂは、アドレス発生部２２１Ｂ−２がメモリ部２２１Ｂ−３の位置を指定するという差がある。
【００６６】
上記のように構成されて動作する本発明にかかる非メモリ誤り訂正チャネルコーディングの反復伝送方法は、伝送するデータをチャネル符号化、反復、マルチプレックシング及び変調などを介して伝送する伝送ステップと、上記伝送ステップから受信された信号が入力されると伝送された情報を復旧する受信ステップとに大きく区分できる。
【００６７】
伝送ステップは、情報発生ステップから発生された情報を該当チャネル符号化技法を用いてチャネル符号化過程を経た後、繰り返し行なってシンボルを出力する符号化ステップと、上記符号化ステップからシンボルが入力されると他の情報とのマルチプレックシング及び変調などを介して受信ステップに出力するシンボル伝送ステップとからなる。
【００６８】
この符号化ステップは、情報発生ステップから発生された情報を該当チャネル符号化技法を用いてチャネル符号化過程を行なうチャネル符号化ステップと、チャネル符号化ステップからチャネル符号化された信号が入力されるとシンボル反復させるシンボル反復ステップとからなる。
【００６９】
このようなシンボル反復ステップの一実施形態は、チャネル符号化ステップからチャネル符号化された信号が入力されると、該当するメモリ位置に貯蔵するためスイッチングする記録スイッチングステップと、記録スイッチングステップから選択された位置に、上記チャネル符号化ステップから入力されるチャネル符号化された信号を貯蔵する伝送メモリ入出力ステップと、伝送メモリ入出力ステップから反復順に応じてメモリを指定して該当データを読み出して上記シンボル伝送ステップに出力する読取スイッチングステップとを含む。ここで、記録スイッチングステップと伝送メモリ入出力ステップ及び読取スイッチングステップを制御するシンボル反復制御ステップをさらに含む。
【００７０】
上記シンボル反復ステップの他の実施形態は、チャネル符号化ステップからチャネル符号化された信号を貯蔵したメモリの位置に該当するアドレスを発生させる記録アドレス発生ステップと、メモリに貯蔵されたチャネル符号化された信号を読み出すメモリの位置に該当するアドレスを発生させる読取アドレス発生ステップと、記録アドレス発生ステップと読取アドレス発生ステップとから発生されたアドレスのいずれか一つを選択するアドレス選択ステップと、アドレス選択ステップで選択されたアドレスを用いてメモリに貯蔵するかメモリから情報を読み出すメモリ入出力ステップとを含む。ここで、上記記録アドレス発生ステップと読取アドレス発生ステップとアドレス選択ステップ及びメモリ入出力ステップなどを制御するシンボル反復制御ステップをさらに含む。
【００７１】
次いで、本発明にかかる非メモリ誤り訂正チャネルコーディングの反復伝送方法の動作を説明する。このようなシンボル反復ステップは、反復規則を記録スイッチングステップ、または記録アドレス発生ステップに適用する場合と、反復規則を読取スイッチングステップ、または読取アドレス発生ステップに適用する場合とに分けることができる。
【００７２】
まず、反復規則を記録スイッチングステップに適用する場合、記録スイッチングステップでは、チャネル符号化ステップから出力されるシンボルの周期の間、シンボル反復回数分ほどスイッチングするが、チャネル符号化された信号の長さほどずつ飛ばしてスイッチングする。例えば、３０個のチャネル符号化された信号を４回繰り返す場合、一つのシンボルが入力されれば、記録スイッチングステップでは、メモリの１、３１、６１、９１番目を順にスイッチングする。これを一般的に示せば、チャネル符号化された信号の長さがＭであり、反復回数がＲである場合、任意のシンボルが入力されれば（Ｎ番目）、記録スイッチングステップでスイッチングする順序は、｛Ｎ、Ｎ＋Ｍ＊１、、Ｎ＋Ｍ＊（Ｒ−１）｝となる。
【００７３】
このように記録スイッチングステップに反復規則を適用する場合、読取スイッチングステップでは、メモリの第一番目から順に増加させながらスイッチングするが、スイッチング速度は、上記チャネル符号化ステップからのシンボルの入力速度より反復回数倍ほど速くスイッチングする。
【００７４】
これに対し、反復規則を読取スイッチングステップに適用する場合、上記記録スイッチングステップでは、メモリの第一番目から順に増加させながらチャネル符号化ステップのシンボル入力速度と同じ速度でスイッチングする。しかし、読取スイッチングステップでは、メモリの第一番目から順に増加させることは、上記の場合と同じであるのに対し、上記チャネル符号化ステップからのシンボル入力速度より反復回数倍ほど速いスイッチングをする。このように読取スイッチングステップに反復規則を適用する場合、記録スイッチングステップに適用される場合に比べて、メモリの大きさが反復回数分の１ほど減ることとなり、スイッチ順序が極めて簡単になる。
【００７５】
上記シンボル反復ステップの他の実施形態として記録／読取アドレス発生ステップを用いる場合、前述した記録／読取スイッチングステップを用いたシンボル反復ステップとその動作が類似している。
【００７６】
まず、記録アドレス発生ステップに反復規則を適用する場合、記録アドレス発生ステップでは、上記チャネル符号化ステップから出力されるシンボル周期の間、反復回数分ほどチャネル符号化された信号の長さほどずつ増加されたアドレスを発生させる。例えば、３０個のチャネル符号化された信号を４回反復し、第一番目のメモリアドレスが１である場合、一つのシンボルが入力されれば、上記記録アドレス発生ステップでは、１、３１、６１、９１のアドレスを順に発生させる。また、次のシンボルが入力されれば、記録アドレス発生ステップでは、２、３２、６２、９２のアドレスを順に発生させる。
【００７７】
これを一般的に示せば、チャネル符号化された信号の長さはＭであり、反復回数がＲである場合、任意のシンボルが入力されれば（Ｎ番目）、上記記録アドレス発生ステップから発生されるアドレス値は、｛Ｎ、Ｎ＋Ｍ＊１、  、Ｎ＋Ｍ＊（Ｒ−１）｝となる。このように記録アドレス発生ステップに反復規則を適用する場合、上記読取アドレス発生ステップでは、メモリの第一番目から順に増加するアドレスを発生させるが、この場合、このアドレスは、シンボル入力速度より反復回数倍ほど速く発生される。
【００７８】
これに対し、反復規則を読取アドレス発生ステップに適用する場合、記録アドレス発生ステップでは、上記チャネル符号化ステップのシンボル入力速度と同じ速度でメモリの第一番目のアドレスから順に増加されたアドレスを発生させる。しかし、読取アドレス発生ステップでは、チャネル符号化ステップのシンボル入力速度より反復回数倍ほど速い速度でメモリの第一番目のアドレスから順に増加されたアドレスを発生させる。
【００７９】
このように読取アドレス発生ステップに反復規則を適用する場合、反復規則を記録アドレス発生ステップに適用される場合に比べて、メモリの大きさが反復回数分の１ほど減るし、データ入出力のためのアドレス発生規則が極めて簡単になる長所がある。
【００８０】
一方、本発明にかかる非メモリ誤り訂正チャネルコーディングの反復伝送方法の受信ステップは、上記伝送ステップから伝送された信号を受信して、復調及び他の情報とのデマルチプレックシング（ｄｅ−ｍｕｌｔｉｐｌｅｘｉｎｇ）を介して非メモリ誤り訂正チャネル符号化された信号を出力するシンボル受信ステップと、上記シンボル受信ステップから受信されたチャネル符号化及び反復された信号が入力されると本来伝送された信号を発生させる復号化ステップと、復号化ステップから復号化された信号が入力されると該当する情報を確認して上位階層へ移送する役割をする情報処理ステップとから構成される。
【００８１】
復号化ステップは、シンボル受信ステップから入力される反復された信号を結合して、反復される前のチャネル符号化された形態の信号に変更させるシンボル復旧ステップと、シンボル復旧ステップから出力される信号が入力されるとチャネル復号化を行なって情報処理ステップに出力するチャネル復号化ステップとから構成される。
【００８２】
本発明の一実施形態にかかるシンボル復旧ステップは、シンボル受信ステップで復調された信号が入力されると、該当信号と反復により入力された以前の信号とを結合する結合ステップと、結合ステップで結合された信号を該当メモリの該当位置にスイッチングしシンボル受信ステップから結合ステップに入力された信号に該当するメモリの位置にスイッチングするスイッチングステップと、スイッチングステップを介して結合ステップで結合された結果が入力されると現在指定されたメモリ位置に貯蔵し、スイッチングステップで指定された貯蔵値をスイッチングステップを介して結合ステップに出力し、結合ステップで反復された信号を全て結合させた後、貯蔵値を上記チャネル復号化ステップに出力する受信メモリ入出力ステップと、結合ステップとスイッチングステップと受信メモリ入出力ステップとを制御するシンボル復旧制御ステップとから構成される。
【００８３】
本発明の他の実施形態にかかるシンボル復旧ステップは、上記シンボル受信ステップから復調された信号を入力され、該当信号と反復さにより入力された以前の信号とを結合する結合ステップと、該当メモリの位置を指摘するためのアドレス発生ステップと、上記結合ステップで結合された信号が入力されるとアドレス発生ステップで指定した位置に貯蔵し、シンボル受信ステップから結合ステップに入力された信号に該当する貯蔵値を結合ステップに出力する受信メモリ入出力ステップと、上記結合ステップとアドレス発生ステップと受信メモリ入出力ステップとを制御するシンボル復旧制御ステップとから構成される。
【００８４】
以下、上記非メモリ誤り訂正チャネル符号化技法のシンボル受信方法の動作を説明する。
【００８５】
まず、本発明にかかる一実施形態において、シンボル受信ステップにおける復調及びデマルチプレックシングされた信号が反復された信号の中で第一番目の信号である場合、結合ステップでは上記受信されたシンボルをスイッチングステップで指定したメモリの位置に貯蔵する。スイッチングステップでは、シンボル受信ステップで入力されるデータ速度と同じ速度で第一番目のメモリ位置から順にメモリの位置を移して指定する。この場合、シンボル復旧制御ステップではメモリを記録状態（ＷＲＩＴＥ）に設定する。
【００８６】
上記シンボル受信ステップにおいて、復調及びデマルチプレックシングされた信号が反復された信号の中で第一番目の信号ではない場合、スイッチングステップでは、シンボル受信ステップで入力されるデータ速度と同じ速度で再び第一番目のメモリ位置から順にメモリの位置を移して指定する。この場合、シンボル復旧制御ステップでは、受信メモリ入出力ステップを読取状態（ＲＥＡＤ）に設定して、メモリの該当位置に貯蔵された値を結合ステップに出力する。結合ステップでは、シンボル受信ステップから入力される信号とメモリ入出力ステップから入力された信号とを結合する。この場合、シンボル復旧制御ステップでは、受信メモリ入出力ステップを記録状態（ＷＲＩＴＥ）に設定して、結合ステップで結合された値を受信メモリ入出力ステップでメモリの該当位置に貯蔵する。上記のように、一つの入力を受けてメモリに貯蔵された値と足して再びメモリに貯蔵する間、上記スイッチングステップでスイッチングするメモリの位置は変更されない。したがって、受信メモリ入出力ステップは、チャネル符号化された信号の長さほどの大きさであれば十分である。
【００８７】
また、このように受信メモリ入出力ステップで全てのチャネル復号化する信号をメモリに貯蔵した後には貯蔵された値をチャネル復号化ステップに出力し、これを入力されたチャネル復号化ステップでは、復号化過程を介して伝送された情報を獲得する。
【００８８】
また、本発明の他の実施形態にかかるシンボル受信方法は、前述した実施形態と類似している。違う点があれば、以前実施形態における記録スイッチングステップの役割を本実施形態では、記録アドレス発生ステップで行ない、以前実施形態における読取スイッチングステップの役割を本実施形態では読取アドレス発生ステップで行なうという点である。
【００８９】
本発明の技術思想は、上記好ましい実施形態によって具体的に記述したが、上記した実施形態はその説明のためのものであって、その制限のためのものでないことに留意されたい。また、本発明の技術分野における通常の専門家であれば、本発明の技術思想の範囲内で種々の実施形態が可能であることを理解するであろう。
【００９０】
【発明の効果】
以上のように本発明によれば、現在ＩＭＴ−２０００の非同期方式である３ＧＰＰ標準案のチャネル構造において、順方向の拡散ファクターが１２８より小さい場合、トランスポートフォーマット結合指示子（ＴＦＣＩ）のチャネル符号化されたシンボルを反復して伝送することとなるが、これに対し本発明にかかる反復伝送及び復旧受信を介して単純なシンボル反復に比べて時間多様性を確保することができるため、優れた性能を確保することができる。また、上記した応用分野以外にも非メモリ誤り訂正チャネル符号化技法を適用した状況で、シンボルを反復して伝送する応用分野には幅広く用いられることのできる長所がある。
【図面の簡単な説明】
【図１】本発明の一実施形態にかかるチャネル符号化されたシンボルの反復送受信装置を示した構成図である。
【図２】図１に示す本発明の一実施形態にかかるシンボル反復部の詳細構成図である。
【図３】図１に示す本発明の一実施形態にかかるシンボル反復部の詳細構成図である。
【図４】図１に示す本発明の一実施形態にかかるシンボル復旧部の詳細構成図である。
【図５】図１に示す本発明の一実施形態にかかるシンボル復旧部の詳細構成図である。
【符号の説明】
１００      伝送部
２００      受信部
１１０      情報発生部
１２０      符号化部
１２１      チャネル符号化部
１２２      シンボル反復部
１３０      シンボル伝送部
２１０      シンボル受信部
２２０      復号化部
２２１      シンボル復旧部
２２２      チャネル復号化部
２３０      情報処理部
【図１】
0003625055.tif 000002
【図２】
0003625055.tif 000003
【図３】
0003625055.tif 000004
【図４】
0003625055.tif 000005
【図５】
0003625055.tif 000006